(57)【要約】【課題】光路の長さを確保しつつ、小型化された光ピックアップ及び再生装置を提供することを目的とする。【解決手段】  光ビームを出射する光源と、対物レンズと、前記光ビームを前記対物レンズに導く反射手段と、前記対物レンズと前記反射手段との間の光路上に配置され、前記対物レンズから導かれる光を光検出手段に導くビームスプリッタとを備え、前記光源は、前記ビームスプリッタと前記光検出手段とを結ぶ軸に対して前記対物レンズ側に、前記ビームスプリッタと前記対物レンズとを結ぶ軸に対して前記光検出手段側に配置される光ピックアップと、  前記ピックアップを光ディスク記憶媒体の半径方向に移動させる移動手段を備える。以上の構成により、光路の長さを確保しつつ、光ピックアップの小型化を実現することができる。  【選択図】図５
2008041173.tif 000002
【特許請求の範囲】
【請求項１】
光ビームを出射する光源と、
対物レンズと、
前記光ビームを前記対物レンズに導く反射手段と、
光検出手段と、
前記対物レンズと前記反射手段との間の光路上に配置され、前記対物レンズから導かれる光を前記光検出手段に導くビームスプリッタとを備え、
前記光源は、前記ビームスプリッタと前記光検出手段とを結ぶ軸に対して前記対物レンズ側に、前記ビームスプリッタと前記対物レンズとを結ぶ軸に対して前記光検出手段側に配置されることを特徴とする光ピックアップ。
【請求項２】
前記反射手段は、複数のミラーからなることを特徴とする請求項１に記載の光ピックアップ。
【請求項３】
前記ビームスプリッタと前記光検出手段との間の光路上に配置されるシリンドリカルレンズを備え、
前記シリンドリカルレンズは、前記ミラーのうちの少なくとも１つ、または前記ビームスプリッタと一体形成されていることを特徴とする請求項２に記載の光ピックアップ。
【請求項４】
前記対物レンズと前記ビームスプリッタとの間の光路上に配置され、所定の焦点距離を有するレンズ部を備え、
前記レンズ部は、前記対物レンズと前記ビームスプリッタとの間の光路上を移動可能であることを特徴とする請求項１乃至３に記載の光ピックアップ。
【請求項５】
光ビームを出射する光源と、対物レンズと、前記光ビームを前記対物レンズに導く反射手段と、光検出手段と、前記対物レンズと前記反射手段との間の光路上に配置され、前記対物レンズから導かれる光を前記光検出手段に導くビームスプリッタとを備え、前記光源は、前記ビームスプリッタと前記光検出手段とを結ぶ軸に対して前記対物レンズ側に、前記ビームスプリッタと前記対物レンズとを結ぶ軸に対して前記光検出手段側に配置される光ピックアップと、
前記ピックアップを光ディスク記憶媒体の半径方向に移動させる移動手段とを備えることを特徴とする再生装置。
【発明の詳細な説明】
【技術分野】
【０００１】
本発明は、光ディスク記憶媒体を再生するための光ピックアップ及び再生装置に関する。
【背景技術】
【０００２】
図１１は、ＣＤやＤＶＤ等の光ディスク記憶媒体（以下、光ディスク）の再生に用いられる従来の光ピックアップの光学素子の構成図である。図１１に示すように、光ピックアップ５１は光源となるレーザダイオード５２と、このレーザダイオードの発する光ビームを光ディスク２に集光させる対物レンズ５３と、前記光ディスク上に集光された前記光ビームの戻り光ビームを検出するフォトディテクタ（光検出器）５４とを備えている。なお、５６は所定の焦点距離を有するコリメートレンズ、５７は複屈折素子からなり、光の偏光状態を変更させる１／４波長板、５８は反射光を集光するシリンドリカルレンズ、５９は出射光を対物レンズ５３に導く立ち上げミラーである。
【０００３】
このような光ピックアップのＹ軸方向（対物レンズ５３とビームスプリッタ５５とを結ぶ線に対して光検出器５４の方向）のサイズを小型化するために、特許文献１のような技術が提案されている。図１２は、特許文献１に記載の従来の光ピックアップの構成図である。ただし、図１１の配置と比較するために、特許文献１に記載の図を右に９０度回転させて記載している。図１２の光ピックアップは、光源６１から対物レンズ６２までの照明光路Ｊ１と、対物レンズ６２から光検出器６３までの読取光路Ｊ２とを交差させている。こうすることで、Ｙ軸方向（対物レンズ６２とビームスプリッタ６６とを結ぶ線に対して光検出器６３の方向）の距離が短縮でき、Ｙ軸方向については小型化できるが、光源６１から対物レンズ６２は直線上に配置されているため、依然としてＸ軸方向（ビームスプリッタ６６から対物レンズ６２への方向）の小型化は不十分である。
【０００４】
【特許文献１】特開平８−８３４３５号
【発明の開示】
【発明が解決しようとする課題】
【０００５】
図１２においては、対物レンズ６２に入射する光は略平行光であるため、発散光を発する光源６１はコリメータレンズ６４の焦点距離分だけ離れた位置に配置されることが必要である。そのため、特許文献１の光ピックアップの配置では、光源６１と対物レンズ６２の間には、対物レンズ６２からコリメートレンズ６４までの距離に加え、コリメートレンズ６４から光源６１までの距離、即ち、コリメートレンズ６４の焦点距離分の長さが必要となるが、これら光源５１と対物レンズ６２が直線上に配置されているため、照明光路Ｊ１の小型化が図れていない。また、光検出器６３に入射する光は、対物レンズ６２から離れる方向に導かれるように、光検出器６３が配置されているため、読取光路Ｊ２も依然として大きく、光ピックアップ部全体として大きな装置となってしまうという問題があった。特に、複数種類の記憶媒体（例えばＣＤ／ＤＶＤ及びＢｌｕ−ｒａｙディスク（光学メディア））の再生に対応できる再生装置（いわゆる、コンボドライブ、コンボプレーヤ）のように、限られたスペースの中に、２つの光ピックアップ光学系を収めるためにも、光ピックアップの小型化が必要である。さらに、車載用の再生装置では、ホーム用再生装置よりもスペースが限られるため、小型化は重要な課題である。本発明は、上述した点に鑑みてなされたものであり、小型化された光ピックアップ及び再生装置を提供することを目的とする。
【課題を解決するための手段】
【０００６】
上記目的を達成するために、本発明の光ピックアップは、光ビームを出射する光源と、  対物レンズと、前記光ビームを前記対物レンズに導く反射手段と、光検出手段と、前記対物レンズと前記反射手段との間の光路上に配置され、前記対物レンズから導かれる光を前記光検出手段に導くビームスプリッタとを備え、前記光源は、前記ビームスプリッタと前記光検出手段とを結ぶ軸に対して前記対物レンズ側に、前記ビームスプリッタと前記対物レンズとを結ぶ軸に対して前記光検出手段側に配置されることを特徴としているものである。
【０００７】
さらに本発明の光ピックアップは、前記反射手段は、複数のミラーからなることを特徴としているものである。さらに本発明の光ピックアップは、前記ビームスプリッタと前記光検出手段との間の光路上に配置されるシリンドリカルレンズを備え、前記シリンドリカルレンズは、前記ミラーのうちの少なくとも１つ、または前記ビームスプリッタと一体形成されていることを特徴としているものである。
【０００８】
さらに本発明の光ピックアップは、前記対物レンズと前記ビームスプリッタとの間の光路上に配置され、所定の焦点距離を有するレンズ部を備え、前記レンズ部は、前記対物レンズと前記ビームスプリッタとの間の光路上を移動可能であることを特徴としているものである。
【０００９】
上記目的を達成するために、本発明の再生装置は、光ビームを出射する光源と、対物レンズと、前記光ビームを前記対物レンズに導く反射手段と、光検出手段と、前記対物レンズと前記反射手段との間の光路上に配置され、前記対物レンズから導かれる光を前記光検出手段に導くビームスプリッタとを備え、前記光源は、前記ビームスプリッタと前記光検出手段とを結ぶ軸に対して前記対物レンズ側に、前記ビームスプリッタと前記対物レンズとを結ぶ軸に対して前記光検出手段側に配置されることを特徴とする光ピックアップと、前記ピックアップを光ディスク記憶媒体の半径方向に移動させる移動手段とを備えることを特徴としているものである。
【発明の効果】
【００１０】
本発明によれば、光ピックアップの小型化を実現することができ、再生装置全体も小型化することができる。また、特に複数種類の記憶媒体の再生に対応した再生装置の大型化を防ぐことができる。
【発明を実施するための最良の形態】
【００１１】
以下、発明を実施するための最良の形態について、図面を参照して説明する。
【００１２】
図１は、本発明の一実施形態に係る光ピックアップ装置が適用される再生装置の外観図である。図中、（ａ）はＢｌｕ−ｒａｙ（ブルーレイ）ディスクもしくはＣＤ／ＤＶＤの再生／レコーダ機器で、（ｂ）はカーナビゲーション装置であり、このような光ピックアップを備える光ディスク再生装置が搭載される機器や（ｃ）コンピュータ等の記憶装置として用いられる光学ドライブに適用される。図中、１は再生装置で、再生装置１の内部に、光ディスク２から信号を読み取るように光ピックアップ３が備えられ、読み取った信号を基に、表示部１０にコンテンツや時間等を表示したり、スピーカ９から音声を出力したりできる。
【００１３】
本発明に係る光ピックアップ及び光ピックアップを搭載した再生装置は、Ｂｌｕ−ｒａｙディスクの再生に対応できる再生装置に適しているが、ここでＢｌｕ−ｒａｙディスクの概要を説明する。図２は、Ｂｌｕ−ｒａｙディスク２の説明図である。Ｂｌｕ−ｒａｙディスク２は、ＤＶＤとディスクの外径のサイズが同じであるが、より記憶量を増やすために、より密度を高くして記録する必要がある。そのために、光源５として、波長４０５ｎｍの青紫色レーザーを用い、ビームスポット２ａの微小化を実現している。さらに、対物レンズ１５として光を絞り込む能力に優れた高い開口数（ＮＡ）のレンズを用いて（Ｂｌｕ−ｒａｙ：０．８５、ＤＶＤ：０．６）、トラックピッチ（各トラック２ｂの間隔）をＤＶＤの半分以下にしている（Ｂｌｕ−ｒａｙ：０．３２μｍ、ＤＶＤ：０．７４μｍ）。このように、Ｂｌｕ−ｒａｙディスク２では、短波長の青紫色レーザーを高開口数のレンズで、絞り込むことにより、光スポット（焦点）面積をＤＶＤの約２０％にし、ＤＶＤの４．７ＧＢ（ギガバイト）に比べて５倍の２５ＧＢの大容量記録を実現している。また、ディスク基板２ｃの厚さ１．２ｍｍのうち、記録面の表面に形成している光透過保護層２ｄの厚さは０．１ｍｍとし、従来の０．６ｍｍよりも、記録層２ｅをレンズに近づけることによって、ディスクの傾きや反りに対して、書き込みや読み出しのエラーを少なくなるようにしている。こうすることで、ＤＶＤと同じディスク外径サイズで、ＤＶＤの５倍の記憶量を有し、書き込みや読み出しのエラーが少ない光ディスク２を実現できる。このようなＢｌｕ−ｒａｙディスクの再生に対応するためには、出射光をディスク２の記憶面上の光スポット２ａに、精度良く集光させるために、対物レンズ１５に入射する出射光の発散度をコリメートレンズ２４の位置を調整により調整する必要がある。そのために、コリメートレンズ２４の位置を微調整できる駆動装置３５を配置するスペースが必要となる。
【００１４】
図３は、本発明の一実施形態に係る再生装置１の構成例を示すブロック図である。光ディスク２は、例えば、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などである。光ピックアップ３は、スピンドルモータ６により所定の回転数で回転している光ディスク２に光を集光させ、光ディスク２で反射した反射光（戻り光）を検知して、光ディスクから情報を読み取る。
【００１５】
復調回路８では、光ピックアップ３で得られた信号ＤＴ１を復調し、スピーカ等の音声出力部９や表示部１０にそれぞれ出力する。また、フォーカスサーボ回路１１又はトラッキングサーボ回路１２は、光ピックアップ３から得られたフォーカスのエラー信号（ＦＥ）やトラッキングエラー信号（ＴＥ）に基づいて、フォーカスのずれ又はトラッキングのずれをなくすように送り駆動回路４及び光ピックアップ３を制御する。回転サーボ回路１３は、復調回路８より取得した周波数データＦＤに基づいて、線速度が一定になるように光ディスク２を回転させるようスピンドルモータ６を制御する。
【００１６】
なお、フォーカスのずれに関する信号ＦＥは、一般に光検出部７の受光面をいくつかの範囲で区切り、それぞれの区分における光量の差を検出するようにするという、いわゆる非点収差を用いる方法が用いられる。また、トラッキングサーボのずれに関するデータＴＥは、レーザー光を信号読み取り用１本（メインスポットを形成）と誤差検出用２本（サイドスポットを形成）に分光して、光ディスクの読取面のビット列照射し、２つのサイドスポット検出用ディテクターに戻る光量の差で検出するという、いわゆる３ビーム法が用いられる。ただし、フォーカスのずれやトラッキングサーボのずれを検出可能であれば、上述した方法以外でも良い。
【００１７】
図４は、本発明の一実施形態に係る光ピックアップ３の構成を概略的に示す斜視図である。図中の光ピックアップ３は、例えばＢｌｕ−ｒａｙ用光ピックアップ系Ｐ１及びＤＶＤ・ＣＤ用光ピックアップ系Ｐ２の２つの光ピックアップが搭載された、いわゆるコンボプレーヤである。光ディスク２の記憶面側に光ピックアップ３が設置され、例えばＢｌｕ−ｒａｙ（ブルーレイ）用の対物レンズ１５及び、ＤＶＤ・ＣＤ用の対物レンズ１６は、サーボ回路等の駆動装置１７により移動可能となっている。これら対物レンズ１５、１６及び対物レンズの駆動手段の一部である支持部１７は、基板２１上に設置されている。これにより、所望の情報が記録されている位置に移動したり、フォーカスのずれやトラックのずれなどを修正したりすることができる。対物レンズ１５の下に、立ち上げミラー２６が配置され、このほか光源５、光検出手段（フォトディテクタ）７、ミラー２２、ビームスプリッタ２３、コリメートレンズ２４、波長板２５などが基板２７上に配置されている。なお、図４では、見やすくするために基板２１と２７とを分離して描いているが、基板２１と基板２７とを一体形成して、光ピックアップ３を１つのユニットにするようにしてもよい。これら光ピックアップ３は、おくりネジ１８及びレール１９を介して、モータを有する移動手段である移動装置２０により、光ディスクの半径方向に移動可能になっている。こうすることで、光ピックアップ３を光ディスク２の所望の読取位置に移動することができ、光ディスク２から信号の読み取りを行うことができる。
【００１８】
図５は、本発明に係る一実施例の光ピックアップ３内の光学素子の配置例１を示す図である。図５（ａ）は、光ピックアップ３を上から見た平面図（Ｚ方向から見たＸＹ平面）である。光源５は、例えば波長４０５ｎｍのレーザダイオード（半導体レーザー）であり、通常、直線偏光成分から成り、わずかに発散するビームを発する。光源５から発せられた出射光線ＬＳは、第１の反射手段であるミラー２２の入射光の偏光方向を変更させないミラー面に所定の角度で入射し（光源５からミラー２２までの光路をＬ１とする）、ビームスプリッタ２３に向けて反射される（ミラー２２からビームスプリッタ２３（ａ）までの光路をＬ２とする）。ここで光の偏光方向を変更させないミラー面とは、出射光の偏光成分を大きく変更させること無く反射させるミラー面であることを言う。
【００１９】
ビームスプリッタ２３内には、特定の偏光成分を反射させ、それ以外は透過させる反射面を有している。本発明に係る実施例では、特定の偏光成分を反射させる反射面を２面有しており、例えば、出射光線ＬＳを反射させる第２の反射手段である反射面２３（ａ）は、横方向の偏光成分（Ｐ波）を反射させ、縦方向の偏光成分（Ｓ波）は透過させる。また反射面２３（ｂ）（光路分割手段）は、縦方向の偏光成分（Ｓ波）を反射させ、横方向の偏光成分（Ｐ波）を透過させる（反射面２３（ａ）から反射面２３（ｂ）までの距離をＬ３とする）。
【００２０】
反射面２３（ａ）で反射された出射光線ＬＳは、レンズ部であるコリメータレンズ２４に入射される（ビームスプリッタ２３からコリメータレンズ２４までの光路をＬ４とする）。ここで、コリメータレンズ２４は、出射光線ＬＳを略平行光にするためにあり、コリメータレンズ透過後の光線ＬＳは、透過前よりも略平行光となる。出射光線ＬＳは、コリメータレンズ２４を透過すると、λ／４波長板２５に入射され、立ち上げミラー２６に入射される（コリメータレンズ２４から立ち上げミラー２６までの光路をＬ５とする）。ここで、λ／４波長板２５を透過した光線ＬＳの偏光成分は、例えば横方向の直線偏光から右回りの円偏光に変換される。また、コリメータレンズ２４は、コリメータレンズ移動装置３５（例えば、モータなど）により、移動可能になっている。これにより出射光ＬＳの光ディスク２の記録面上でのフォーカスを調整することができる。
【００２１】
図５（ｂ）は、光ピックアップ３を横から見た図（Ｙ方向から見たＺＸ平面であり、Ａ−Ａ’断面部分）である。以降の配置例の横から見た図は、図５（ｂ）と同様とする。立ち上げミラー２６にＸ方向から入射した光線ＬＳは、立ち上げミラー２６の反射面で反射され、集光手段である対物レンズ１５によって光ディスク２の記録面上に集光される（立ち上げミラー２６から対物レンズ１５までの光路をＬ６とする）。
【００２２】
光ディスク２へ入射する方向に反射した光は、戻り光ＬＤとして、立ち上げミラー２６に戻り、λ／４波長板２５、コリメータレンズ２４を透過し、ビームスプリッタ２３に入射する。なお、戻り光ＬＤの偏光方向は、光ディスク２での反射によって、例えば右回り偏光から左回り偏光になり（固定端反射）、λ／４波長板２５により、左回り偏光から、縦方向の直線偏光に変換される。ここで、λ／４波長板２５は、出射光ＬＳや戻り光ＬＤがλ／４波長板２５の表面で反射し、そのまま進行方向と逆方向に導かれないように、光軸に対して、少し傾けて配置されている。
【００２３】
縦方向の直線偏光に変換された戻り光ＬＤは、ビームスプリッタ２３の反射面２３（ｂ）で選択反射され、シリンドリカルレンズ２８を透過し、光検出部７で集光される（シリンドリカルレンズ２８から光検出部７までの光路をＬ７、反射面２３（ｂ）からシリンドリカルレンズ２８までの光路をＬ８とする）。ここで、シリンドリカルレンズ２８は、上述したフォーカスのずれ検出する方法に用いられる。また、光源５から対物レンズ１５までの出射光ＬＳの光路距離は、Ｌ１〜Ｌ６の和となり、対物レンズ１５からフォトディテクタ７までの戻り光ＬＤの光路距離は、Ｌ４〜Ｌ８の和となる。
【００２４】
本発明に係る光ディスク再生装置１の光ピックアップ３の構成例１おいて、上述のように、光源５からの出射光ＬＳは、対物レンズ１５から離れる方向に出射されるが、反射手段により折り返され、コリメートレンズ２４を経由し、対物レンズ１５に入射する。こうすることで、本発明に係るピックアップ３のＸ軸方向の距離は、図１２の光源６１とコリメートレンズ６４との間の距離よりも、本発明に係る光ピックアップ３の光源５からコリメートレンズ２４の距離の方が短くなる。つまり、光ピックアップ３は、光源５とコリメートレンズ２４との間の必要な長さ（コリメートレンズの焦点距離）を確保しつつ、図１２の照明光路Ｊ１の距離よりも短くできるため、小型化できる。
【００２５】
また、光源５は、光検出手段７が配置されている側に配置されている。さらに、コリメートレンズ２４を入射光ＬＳと戻り光ＬＤとで共用することにより、Ｙ軸方向に必要な距離は、コリメートレンズ２４の焦点距離よりも短い光路距離Ｌ７＋Ｌ８となる。これにより、Ｙ方向への必要距離を抑えることができる。ここで、本実施例では、入射光ＬＳと戻り光ＬＤとを交差させているが、ビームスプリッタ２３内の対物レンズから遠いミラー面２３（ａ）で出射光を反射させ、近いミラー面２３（ｂ）で戻り光ＬＤを反射させているためで、このような配置にするメリットは、Ｙ軸方向に配置される光検出手段７をより対物レンズ１５に近づけることで、光検出手段７がビームスプリッタ２３よりもＸ軸の負の方向にはみ出さないことと、光検出手段７よりも大きな光源５を、対物レンズ１５と光検出手段７との間のスペースに収めることができるため、Ｙ軸方向をより小型化ができる。
【００２６】
なお、光源５からコリメータレンズ２４までの光路距離（Ｌ１〜Ｌ４の和）は、コリメータレンズ２４の焦点距離にほぼ等しいか、やや長い。これは、レンズやビームスプリッタ、プリズムのような透明部材内（ガラスなど）を通過する場合、空気とガラスの界面で屈折され、ガラス内では収束角度が小さくなるため、実際の光の焦点位置がレンズの焦点距離よりも長くなるからである。さらに、図１２の従来技術では、ビームスプリッタの他にミラーを２つ用いているが、本発明の構成によれば、ミラーは１つでよく、部品数を低減することができる。また、従来技術の光検出部５３は、戻り光線用のコンデンサレンズ５５から、このレンズ５５の焦点距離分に相当する位置に配置されるため、大規模な装置となってしまうが、本発明の構成では、コリメータレンズ２４を、入射光線ＬＳと戻り光線ＬＤで共通に使用しているため、ビームスプリッタ２３から光検出部７までの距離（Ｌ７＋Ｌ８）を抑え、Ｙ軸方向について小型化することができる。なお、上述の説明は、光源５から立ち上げミラー２６までの光路（Ｌ１〜Ｌ５）及び立ち上げミラー２６から光検出手段７までの光路（Ｌ４、Ｌ５、Ｌ７、Ｌ８）が同一平面上に場合に加え、光路がＺ軸同一平面にない場合、例えば光路Ｌ１と光路Ｌ７が立体交差している場合にも、適用される。光路が同一平面にない場合の図５（ａ）は、光路をＸＹ平面上に射影した図とする。以降の説明についても、同様とする。
【００２７】
図６は、本発明に係る一実施例の光ピックアップ３内の光学素子の配置例２を示す図である。配置例２では、シリンドリカルレンズ２８とビームスプリッタ２３の代わりに、シリンドリカルレンズ２８をビームスプリッタ２３と一体形成させたシリンドリカルレンズ付ビームスプリッタ２９を採用している。この構成により、部品点数を２つから１つに減らすことができ、さらにビームスプリッタ２３及びシリンドリカルレンズ２８をそれぞれ単体で取り付けをする必要がなくなり、これらを一体形成したシリンドリカルレンズ付ビームスプリッタ２９のみを取り付けるので、基板２７への取り付け精度を向上させることができる。
【００２８】
図７は、本発明に係る一実施例の光ピックアップ３内の光学素子の配置例３を示す図である。配置例３は、上述した構成例２において、第１の反射手段をミラー２２からキューブ型ミラー３０に置き換えたものである。この構成により、出射光ＬＳは、キューブ型ミラー３０のガラス材内を通過することになり、出射光線ＬＳの光路Ｌ１を長くすることができる。そのため、光源５の配置を外側に寄せることができ、光源５をフォトディテクタ７から離すことができ、フォトディテクタ７の位置調整範囲を拡大することができる。
【００２９】
図８は、本発明に係る一実施例の光ピックアップ３内の光学素子の配置例４を示す図である。配置例４は、上述した配置例３において、第１の反射手段をキューブ型ミラー３０から、キューブ型ミラーと集光レンズ（平凸レンズ）を一体形成させた集光レンズ付キューブ型ミラー３１に置き換えたものである。この構成によると、ミラー３１内を出射光ＬＳが通過するため、光路Ｌ１の距離が長くなる。また、戻り光ＬＤは、集光レンズ３２で集光され、短い距離で集光でき、光路Ｌ７の距離が短くなる。そのため、光検出部７をより内部に配置することができ、光ピックアップ３を小型化することができる。また、キューブ型ミラーと集光レンズとで別々であった部品が集光レンズ付キューブ型ミラー３１へと一体形成されたことにより、集光レンズ付キューブ型ミラー３１の形状が大きくなるため、取り付けが容易になり、取り付け精度が向上する。
【００３０】
図９は、本発明に係る一実施例の光ピックアップ３内の光学素子の配置例５を示す図である。配置例５は、上述した配置例４において、集光レンズ付キューブ型ミラー３１の代わりに、集光レンズ付プリズム３３を用いている。集光レンズ付プリズム３３を用いることにより、光路Ｌ１及び光路Ｌ７が長くなることは、配置例４で用いた集光レンズ付キューブ型ミラー３１と同じ原理であるが、配置例５の構成によると、光源５とコリメータレンズ２４の間に広いスペース３４を設けることができる。このスペース３４を利用して、例えば、コリメータレンズ２４移動装置３５（例えば、モータなど）の配置の自由度を大きくすることができ、設計しやすくなる。コリメータレンズ２４を移動可能にすることにより、出射光ＬＳの光ディスク２の記録面上でのフォーカスを調整することができる。
【００３１】
なお、その他の配置例として、図１０に示すように、光源５からの出射光ＬＳをミラー３７に反射させ、ビームスプリッタ−３８に入射させ、対物レンズ１５に導かせる。そして、戻り光ＬＤは、ビームスプリッタ−３８を透過し、ミラー３９で光検出部（フォトディテクタ）７に導くようにしても良い。このような構成により、コリメートレンズ移動装置の配置可能範囲３６を広く取ることができる。
【００３２】
以上のように、本発明は、フォトディテクタ７よりもサイズの大きな光源５を、対物レンズ１５とビームスプリッタ２３とで結ばれる軸よりもフォトディテクタ５側に配置し、またフォトディテクタ７とビームスプリッタ２３とで結ばれる軸よりも対物レンズ１５側に配置し、さらにコリメートレンズ２４をビームスプリッタ２３と対物レンズ１５の間の光路上に配置することにより、光ピックアップの小型化を実現することができた。
【００３３】
上述した構成以外にも、配置例１のシリンドリカルレンズ２８をシリンドリカルレンズと集光レンズをそれぞれ用意、もしくは一体形成させた光学素子を用いても良い。これにより、光路Ｌ７を短くすることができ、光検出部７をより内側に配置可能で、光源５のＹ方向の先端にあわせることができるため、光ピックアップ３をより小型化することができる。また、配置例１乃至３において、光源５とコリメータレンズ２４の間のスペースにコリメータレンズ２４を移動させるためのモータ等のコリメータレンズ駆動装置３５を配置するようにして、コリメータレンズ２４を可動にしてもよい。この駆動装置３５でコリメータレンズ２４を移動させることにより、対物レンズ１５に導かれる出射光の広がり度を調整することができ、対物レンズ１５による焦点を調整することができる。さらに、配置例２乃至５においても、図５（ｂ）に示す立ち上げミラー２６及び対物レンズ１５、光ディスク２の構成を適用するものとする。ただし、立ち上げミラー２６を介さず、ＸＹ平面上に展開している構成をＹＺ平面に置きなおしても良い。また、出射光ＬＳの反射手段としてミラー及びミラー面を２つ使用したが、３つ以上使用するようにしても良い。さらに、レーザー及び光検出手段、ビームスプリッタ、レンズ類、ミラー類を1パッケージにすることが好ましい。本実施例は、いわゆるコンボプレーヤの例であるが、これに限らず、他の組み合せ、形態も可能である。さらに、再生専用装置のみならず、記録／再生装置にも適用できる。
【図面の簡単な説明】
【００３４】
【図１】本発明の一実施形態に係る光ピックアップ装置が適用される再生装置の外観図である。（ａ）ＤＶＤレコーダ機器、（ｂ）カーナビゲーション機器。
【図２】Ｂｌｕ−ｒａｙディスクの説明図である。
【図３】本発明の一実施形態に係る再生装置１の構成例を示すブロック図である。
【図４】本発明の一実施形態に係る光ピックアップ３の構成を概略的に示す斜視図である。
【図５】本発明に係る一実施例の光ピックアップ３内の光学素子の配置例１を示す図である。（ａ）上から見た図と（ｂ）横から見た図。
【図６】本発明に係る一実施例の光ピックアップ３内の光学素子の配置例２を示す図である。
【図７】本発明に係る一実施例の光ピックアップ３内の光学素子の配置例３を示す図である。
【図８】本発明に係る一実施例の光ピックアップ３内の光学素子の配置例４を示す図である。
【図９】本発明に係る一実施例の光ピックアップ３内の光学素子の配置例５を示す図である。
【図１０】本発明に係る一実施例の光ピックアップ３内の光学素子の配置例６を示す図である。
【図１１】従来の光ピックアップの光学素子の構成図である。
【図１２】特許文献１に記載の従来の光ピックアップの構成図である。
【符号の説明】
【００３５】
１          光ディスク再生装置
２          光ディスク記憶媒体（光ディスク）
３          光ピックアップ
５          光源
７          光検出部
１５、１６  対物レンズ
１７        支持部
１８        ネジ
２１        基板
２２        ミラー
２３        ビームスプリッタ
２４        コリメータレンズ
２５        λ／４波長板
２６        立ち上げミラー
２７        基板
２８        シリンドリカルレンズ
２９        シリンドリカルレンズ付ビームスプリッタ
３０        第２のミラー
３１        集光レンズ付キューブ型ミラー
３２        集光レンズ
３３        集光レンズ付プリズム
【図１】
2008041173.tif 000003
【図２】
2008041173.tif 000004
【図３】
2008041173.tif 000005
【図４】
2008041173.tif 000006
【図５】
2008041173.tif 000007
【図６】
2008041173.tif 000008
【図７】
2008041173.tif 000009
【図８】
2008041173.tif 000010
【図９】
2008041173.tif 000011
【図１０】
2008041173.tif 000012
【図１１】
2008041173.tif 000013
【図１２】
2008041173.tif 000014